(57)【要約】 【課題】セラミックスや磁石を接着剤を用いることなく確実に固定して長期に亘りマッサージ操作を良好に行うことができる手段を備え、製品販売後の不良による負担が低減される顔用マッサージローラーの提供。【解決手段】複数個のローラーが軸支される枠部と裏蓋との間に介在し、複数個のローラーの下方で裏蓋の内側面との間に遠赤外線放射物質を挟んだ状態で裏蓋に溶着固定され、該溶着固定により遠赤外線放射物質を裏蓋内側面に保持する押さえ部材を備えた顔用マッサージローラー。【選択図】      図１
0003143398.tif 000002
【実用新案登録請求の範囲】
【請求項１】
長尺状把手部と、
該把手部の先端に一体的に設けられた枠部と、
該枠部内にそれぞれ回転可能に軸支された複数個の円筒状ローラーと、
前記枠部にその枠開口を覆うように取り付けられると共に、前記複数個のローラーとの間に空間を形成する裏蓋と、
該裏蓋の内側の前記空間内に収納装着される遠赤外線放射物質と、を備えた顔用マッサージローラーであって、
前記裏蓋と枠部との間に介在し、前記複数個のローラーの下方で前記裏蓋の内側面との間に前記遠赤外線放射物質を挟んだ状態で前記裏蓋に溶着固定され、該溶着固定により前記遠赤外線放射物質を裏蓋内側面に保持する押さえ部材を備えていることを特徴とする顔用マッサージローラー。
【請求項２】
前記押さえ部材は、前記裏蓋との間の空間を複数室に仕切る壁部を一体的に有することを特徴とする請求項１に記載の顔用マッサージローラー。
【請求項３】
前記押さえ部材は、前記遠赤外線放射物質の表面を前記ローラー側に露呈する開口窓を備えていることを特徴とする請求項１又は２に記載の顔用マッサージローラー。
【考案の詳細な説明】
【技術分野】
【０００１】
本考案は、顔面に対してマッサージを行う手持ちのマッサージローラーに関するものである。
【背景技術】
【０００２】
従来から、いつでも簡単に顔面のマッサージを行える手持ちのマッサージ器として、長尺状把手部を把持してその先端部に回転可能に設けられた複数のローラーを顔面に押し当てながら往復移動させるものがある。このようなマッサージ器では、各ローラーの顔面上での若干の摩擦と押圧転動により、皮膚に対して適度な刺激を与えながら皮下の血流やリンパ流れを促進し、血行を良くしてむくみも解消するというマッサージ効果が得られる。
【０００３】
また、このようなマッサージ効果をさらに向上させるために、磁波により血流を良くする磁石や温熱効果のある遠赤外線放射セラミックス等の物質を装着したものもある。（例えば、引用文献１参照。）。
【０００４】
【特許文献１】実用新案登録第３０８７１０５号公報
【考案の開示】
【考案が解決しようとする課題】
【０００５】
上記のような従来のマッサージ器においては、ローラーを軸支する枠部の裏側に枠開口を覆う裏蓋を取り付け、ローラーと裏蓋との間に形成される空間内に磁石やセラミックスを収納する構成が採用されている。この場合、磁石やセラミックスが移動しないように、裏蓋の内側面に接着剤で固定されている。
【０００６】
しかしながら、遠赤外線放射セラミックスを装着している場合、裏蓋等に固定するための接着剤が時間の経過に伴って弛んだり劣化し、セラミックスや磁石が固定位置から脱落してしまうことがあった。これは、特に合成樹脂接着剤を構成する高分子化合物が遠赤外線をよく吸収することに起因するものと思われる。
【０００７】
このように脱落しまったセラミックスや磁石は、ローラーに衝突して互いに部材同士を損傷させたり良好なマッサージ操作を妨げる。また、これは通常の使用状態における不良発生となるため、製品販売後に回収、補修、あるいは取り替え等のコストや手間の掛かる取り扱いが必要となってしまう。
【０００８】
本考案の目的は、上記問題点に鑑み、装着されるセラミックスや磁石を接着剤を用いることなく確実に固定できる手段を備え、長期に亘ってマッサージ操作を良好に行うことができ、製品販売後の不良による負担が低減される顔用マッサージローラーを提供することにある。
【課題を解決するための手段】
【０００９】
上記目的を達成するため、請求項１に記載の考案に係る顔用マッサージローラーは、長尺状把手部と、該把手部の先端に一体的に設けられた枠部と、該枠部内にそれぞれ回転可能に軸支された複数個の円筒状ローラーと、前記枠部にその枠開口を覆うように取り付けられると共に、前記複数個のローラーとの間に空間を形成する裏蓋と、該裏蓋の内側の前記空間内に収納装着される遠赤外線放射物質と、を備えた顔用マッサージローラーであって、前記裏蓋と枠部との間に介在し、前記複数個のローラーの下方で前記裏蓋の内側面との間に前記遠赤外線放射物質を挟んだ状態で前記裏蓋に溶着固定され、該溶着固定により前記遠赤外線放射物質を裏蓋内側面に保持する押さえ部材を備えているものである。
【００１０】
また、請求項２に記載の考案に係る顔用マッサージローラーは、請求項１に記載の顔用マッサージローラーにおいて、前記押さえ部材は、前記裏蓋との間の空間を複数室に仕切る壁部を一体的に有するものである。
【００１１】
さらに、請求項３に記載の考案に係る顔用マッサージローラーは、請求項１又は２に記載の顔用マッサージローラーにおいて、前記押さえ部材は、前記遠赤外線放射物質の表面を前記ローラー側に露呈する開口窓を備えていることを特徴とするものである。
【考案の効果】
【００１２】
本考案による顔面マッサージローラーにおいては、円筒状ローラーが回転可能に軸支された枠部とその枠開口を覆うように取り付けられた裏蓋との間に介在して該裏蓋に溶着固定される押さえ部材によって、接着剤を用いることなく複数個のローラーの下方で裏蓋の内側面との間に挟んだ遠赤外線放射物質を確実に保持固定するものであるため、従来のような遠赤外線放射物質が固定位置から脱落してローラーへ干渉することもなく、長期に亘って良好なマッサージ操作を行うことができると共に、製品販売後に回収、補修、あるいは取り替え等のコストや手間が必要な不良が大幅に低減するという効果がある。
【考案を実施するための最良の形態】
【００１３】
本考案は、長尺状の把手部の先端に一体的に設けられた枠部内に複数個の円筒状ローラーがそれぞれ回転可能に軸支された顔用マッサージローラーにおいて、枠部にその枠開口を覆うように取り付けられた裏蓋と前記複数個のローラーとの間に形成された空間内に、遠赤外線放射物質が収納装着されるものであり、裏蓋と枠部との間に介在し、複数個のローラーの下方で裏蓋の内側面との間に遠赤外線放射物質を挟んだ状態で裏蓋に溶着固定され、該溶着固定により前記遠赤外線放射物質を裏蓋内側面に保持する押さえ部材を備えているものである。
【００１４】
従って、本考案の顔用マッサージローラーにおいては、接着剤を使用することなく、裏蓋に溶着固定される押さえ部材によって、遠赤外線放射物質が裏蓋の内側面との間に挟まれて確実の保持固定されるものであるため、接着剤を使用していた従来のような遠赤外線放射物質が固定位置から脱落してローラーへ干渉することもなく、長期に亘って良好なマッサージ操作を行うことができる。また、製品販売後に回収、補修、あるいは取り替え等のコストや手間が必要な不良が大幅に低減する。
【００１５】
なお、マッサージローラーに装着される遠赤外線放射物質は、一つに限らず複数個であったり磁石と共に装着されることもある。そこで押さえ部材に、裏蓋との間の空間を複数室に仕切る壁部を一体的に設ければ、仕切られた各室内に遠赤外線放射物質や磁石を互いに衝突することなく独立した状態で収納保持できる。また、このように互いに仕切られた室内に収納される各物質は、該室内容積より小さい外形であれば良好に保持されるため、その外形寸法に多少のバラツキがあっても許容でき、収納空間に合わせて高精度に調整する必要がなく、製品製造工程を容易にする。
【００１６】
また、本考案における押さえ部材は、裏蓋内側面との間に挟持する遠赤外線放射物質や磁石を全面的に覆って押さえる必要はなく、部分的に覆う押さえ部分があれば良好な挟持状態は得られる。従って、必要な押さえ部分を確保しておけば、遠赤外線放射物質のや磁石の表面をローラー側に露呈する開口窓を形成することができる。このような開口窓により、遠赤外線や磁石からの磁波がより良く放射され、これらによるマッサージ効果の向上効果がさらに確実に得られる。
【実施例】
【００１７】
本考案の一実施例として、一つの遠赤外線放射セラミックスと二つの磁石が装着された顔用マッサージローラーを図１〜３に示す。図１は本実施例による顔用マッサージローラーの全体構成を示す模式図であり、（ａ）は本顔用マッサージローラーの部材構成を示す組立前状態の概略斜視図、（ｂ）は組立後の側面図である。図２は、顔用マッサージローラーの組み立てられたヘッド部の構成を示す部分断面斜視図である。この図２では、表面側から見たローラーの下方の状態を示すために便宜上ローラーの図示を省略している。図３は、組み立てられたヘッド部の側断面図である。
【００１８】
本顔用マッサージローラー１は、主に長尺状の把手部２とその先端に設けられたマッサージ用ヘッド部３とから構成されている。ヘッド部３には、把手部２から一体に形成された枠部４内に複数個のローラー５が回転可能の軸支される。
【００１９】
本実施例におけるヘッド部３には、枠部４にその枠開口を覆うように取り付けられる裏蓋６と、複数個のローラー５の下方で裏蓋６との間に遠赤外線放射セラミックス２０と磁石２１とを収納装着するための空間を形成する押さえ部材８とが備えられている。
【００２０】
この押さえ部材８は、裏蓋６の内側面と間にセラミックス２０と磁石２１を挟んだ状態で裏蓋６に溶着固定されるものであり、この溶着固定状態においてセラミックス２０と磁石２１とを裏蓋６の内側面に押さえつけて保持固定する。
【００２１】
両部材同士の溶着固定部分の構成としては、特に限定するものではなく、裏蓋６と枠部４との嵌合取付部に影響のない領域にて、裏蓋６と押さえ部材８とに互いに溶着可能な嵌合部を形成すればよい。本実施例においては、裏蓋６内側の両端部分に一体に形成したカシメ突起７と、押さえ部材８の両端部分の対応位置に一体成形した各カシメ突起７が挿入されるカシメ円筒部９とから溶着固定用の嵌合部を構成した。
【００２２】
従って、両者の間にセラミックス２０及び磁石２１を挟み込みながら前記カシメ突起７を前記カシメ円筒部９に挿入嵌合させた状態で該嵌合部分を溶着処理することによって、押さえ部材８を裏蓋６に溶着固定すると同時にセラミックス２０及び磁石２１を裏蓋６が内側面に押さえつけた保持固定状態が得られる。
【００２３】
また、本実施例においては、押さえ部材８には、裏蓋６との間の前記収納空間を三つの室に仕切る壁部１２が一定に設けられている。この各室内に、一つのセラミックス２０と二つの磁石２１をそれぞれ収納した。この構成によって、セラミックス２０と磁石２１は互いに衝突することなく独立状態で各室内に良好に収納保持されている。
【００２４】
また、押さえ部材８には、遠赤外線及び磁波がより良く放射できるように、セラミックス２０と各磁石２１の表面がローラー５側に露呈できる開口窓１３を形成した。このとき、できるだけ露呈面積を大きく確保するためめ、セラミックス２０と各磁石２１の裏蓋６側への押圧保持に必要なだけの押さえ部分１０以外を開口窓とした。
【００２５】
本実施例の顔用マッサージローラー１では、ヘッド部３の表面が顔面の大まかな凹凸に沿ってより良く接することができるように、枠部４が上方に突出するように緩やかに湾曲され、該湾曲に沿って各ローラー５が軸支される構成となっている。従って、押さえ部材８と裏蓋６も枠部４に対応して湾曲させている。
【００２６】
この場合、板状のセラミックス２０や磁石２１の表面と押さえ部材８の緩やかに湾曲した対向面とが完全な面接状態になりにくい。そこで、押さえ部分１０の下面に複数の押さえ突起１１を設けた。この突起１１により、押さえ部材８が湾曲していても各セラミックス２０と磁石２１は良好に押さえつけられる。
【００２７】
以上の構成を備えた本実施例の顔用マッサージローラー１によれば、従来の接着剤による装着状態のように、使用時間の経過に伴ってセラミックス２０や磁石２１の保持固定状態が弛むこともなく、脱落不良も生じ難いため、長期に亘って良好なマッサージ操作を行うことができる。また、製品販売後の脱落不良による回収、補修、あるいは取り替え等のコストや手間が係る対応も必要なくなる。
【図面の簡単な説明】
【００２８】
【図１】本考案の一実施例による顔用マッサージローラーの全体構成を示す模式図であり、（ａ）は本顔用マッサージローラーの部材構成を示す組立前状態の概略斜視図、（ｂ）は組立後の側面図である。
【図２】図１の顔用マッサージローラーの組み立てられたヘッド部の構成を示す部分断面斜視図である。
【図３】図１の顔用マッサージローラーの組み立てられたヘッド部の側断面図である。
【符号の説明】
【００２９】
１：顔用マッサージローラー
２：把手部
３：ヘッド部
４：枠部
５：ローラー
６：裏蓋
７：カシメ突起
８：押さえ部材
９：カシメ円筒部
１０：押さえ部分
１１：押さえ突起
１２：壁部
１３：開口窓
２０：遠赤外線放射セラミックス
２１：磁石
【図１】
0003143398.tif 000003
【図２】
0003143398.tif 000004
【図３】
0003143398.tif 000005